(57)【要約】本発明は、高い分離性能を有する光学異性体用分離剤を提供する。すなわち、セルロース又はアミロース等の多糖が有するヒドロキシル基の水素原子の少なくとも一部が、下記一般式（Ｉ）及び（ＩＩ）で示される原子団の少なくとも一種と置換された多糖誘導体を有効成分とする光学異性体用分離剤である。2004094342.tif 000019（式中、Ｒは置換もしくは無置換の芳香族基、又は直鎖状、分枝鎖状もしくは環状の脂肪族基である。）
2004094342.tif 000002
【特許請求の範囲】
【請求項１】
多糖が有するヒドロキシル基の水素原子の少なくとも一部が、下記一般式（Ｉ）及び（ＩＩ）で示される原子団の少なくとも一種と置換された多糖誘導体を有効成分とする光学異性体用分離剤。
2004094342.tif 000010
（式中、Ｒは置換もしくは無置換の芳香族基、又は直鎖状、分枝鎖状もしくは環状の脂肪族基である。）
【請求項２】
前記多糖がセルロース又はアミロースである請求項１記載の光学異性体用分離剤。
【請求項３】
前記一般式（Ｉ）及び（ＩＩ）中のＲが下記一般式（ＩＩＩ）で示されるものである請求項１記載又は２記載の光学異性体用分離剤。
2004094342.tif 000011
（式中、Ｒ１〜Ｒ５は同じであっても異なっていてもよく、水素、ハロゲン、アルキル基、アルコキシ基、アミノ基、ニトロ基、シロキシ基、アルキルチオ基から選ばれる原子又は基である。）
【請求項４】
前記一般式（ＩＩＩ）中のＲ１〜Ｒ５が水素、ハロゲン及びアルキル基から選ばれる原子又は基である請求項３記載の光学異性体用分離剤。
【請求項５】
前記一般式（Ｉ）が下記式（ＩＶ）で示されるものである請求項１又は２記載の光学異性体用分離剤。
2004094342.tif 000012
【請求項６】
前記一般式（Ｉ）が下記式（Ｖ）で示されるものである請求項１又は２記載の光学異性体用分離剤。
2004094342.tif 000013
【請求項７】
前記一般式（Ｉ）が下記式（ＶＩ）で示されるものである請求項１又は２記載の光学異性体用分離剤。
2004094342.tif 000014
【請求項８】
前記一般式（Ｉ）が下記式（ＶＩＩ）で示されるものである請求項１又は２記載の光学異性体用分離剤。
2004094342.tif 000015
【請求項９】
前記一般式（Ｉ）及び（ＩＩ）中のＲが下記式（ＶＩＩＩ）で示されるものである請求項１又は２記載の光学異性体用分離剤。
2004094342.tif 000016
【請求項１０】
前記一般式（Ｉ）及び（ＩＩ）中のＲが下記式（ＩＸ）で示されるものである請求項１又は２記載の光学異性体用分離剤。
2004094342.tif 000017
【請求項１１】
前記一般式（Ｉ）及び（ＩＩ）中のＲが下記式（Ｘ）で示されるものである請求項１又は２記載の光学異性体用分離剤。
2004094342.tif 000018
【請求項１２】
クロマトグラフィーの固定相として使用する請求項１〜１１のいずれかに記載の光学異性体用分離剤。
【請求項１３】
連続式液体クロマトグラフィーの固定相として使用する請求項１〜１１のいずれかに記載の光学異性体用分離剤。
【請求項１４】
請求項１に記載した多糖誘導体の光学異性体用分離剤としての用途。
【請求項１５】
請求項１に記載した多糖誘導体を光学異性体に接触することにより光学異性体を分離する方法。
【発明の詳細な説明】
【技術分野】  本発明は、化合物の分離法、特にクロマトグラフィー法による光学異性体の分離に適した光学異性体用分離剤に関するものである。
【背景技術】  実像と鏡像の関係を有する光学異性体は物理的、化学的性質、例えば沸点、融点、溶解度などの物性が全く同一であるが、生体に対する相互作用、例えば味、匂いなどの生理活性に差異がみられるケースが往々にしてある。特に医薬品の分野においては、光学異性体間でその薬効、毒性の点で顕著な差が見られる場合が高い確率で予想されるため、厚生省の医薬品製造指針には、「当該薬物がラセミ体である場合には、それぞれの異性体について、吸収、分布、代謝、排泄動態を検討しておくことが望ましい」と記載されている。
先に述べたように光学異性体は、物理的、化学的性質、例えば沸点、融点、溶解度といった物性は全く同一であるために、古典的な通常の分離手段では分析できないことが致命的となっていたため、幅広い種類の光学異性体を簡便に、かつ精度良く分析する技術の研究が精力的に行われてきた。
そしてこれら要求に応える分析手法として、高速液体クロマトグラフィー（ＨＰＬＣ）による光学分割法、とくにＨＰＬＣ用光学異性体分離用カラムによる光学分割方法が進歩してきた。ここで言う光学異性体分離用カラムでは、不斉識別剤そのもの、あるいは不斉識別剤を適当な担体上に担持させたキラル固定相が使用されている。例えば、光学活性ポリメタクリル酸トリフェニルメチル（特開昭５７−１５０４３２号公報参照）、セルロース、アミロース誘導体（Ｙ．Ｏｋａｍｏｔｏ，Ｍ．Ｋａｗａｓｈｉｍａ  ａｎｄ  Ｋ．Ｈａｔａｄａ，Ｊ．Ａｍ．Ｃｈｅｍ．Ｓｏｃ．，１０６，５３３７，１９８４）、タンパクであるオボムコイド（特開昭６３−３０７８２９）等が開発されている。
数あるこれらＨＰＬＣ用キラル固定相の中でも、セルロース、アミロース誘導体をシリカゲル上に担持させた光学分割カラムは、極めて幅広い化合物に対し、高い不斉識別能を有することが知られている。
最近では、ＨＰＬＣ用キラル固定相と擬似移動床法を組み合わせた工業規模での光学活性体液体クロマト法分取の検討が進められ（Ｐｈｒａｍ  Ｔｅｃｈ  Ｊａｐａｎ  １２，４３）、更に、単に完全分離するのみならずクロマト分取生産性を向上させるために、分取目的化合物に対してさらによく分ける、すなわちより大きな分離係数（α値）をもったキラル固定相が求められ、大きなα値を持った不斉識別能力の高い多糖誘導体を見出す研究が精力的に行われている。
【発明の開示】
本発明は、クロマトグラフィー等で利用するキラル固定相として適した、より大きなα値を持った不斉識別能力の高い多糖誘導体を有効成分とする光学異性体用分離剤を提供することを課題とする。
従来、キラル固定相として、セルロース誘導体やアミロース誘導体、特にフェニルカルバメート誘導体が高い光学分割能を有することが知られており、その中でも、フェニル基の水素原子がアルキル基又はハロゲン原子で置換されたものが、高い光学分割能を有することが知られている。
そして、カルバメート基とフェニル基の間にメチレン基が存在すると光学分割能が著しく低下し、前記メチレン基の水素の一つをメチル基で置換したものは高い光学分割能を有することが知られており、更にメチレン基部分に余り嵩高い基を導入すると、返って光学分割能が低下することを見出した。
以上の知見を元に研究を進めた結果、本発明者は、カルバメート基とフェニル基の間にカルボニル基を導入することで、より高いα値を有する多糖誘導体が得られることを見出し、本発明を完成したものである。
本発明は、課題の解決手段として、多糖が有するヒドロキシル基の水素原子の少なくとも一部が、下記一般式（Ｉ）及び（ＩＩ）で示される原子団の少なくとも一種と置換された多糖誘導体を有効成分とする光学異性体用分離剤を提供する。
2004094342.tif 000003
（式中、Ｒは置換もしくは無置換の芳香族基、又は直鎖状、分枝鎖状もしくは環状の脂肪族基である。）
本発明は、上記多糖誘導体の光学異性体用分離剤としての用途である。
本発明は、上記多糖誘導体を光学異性体に接触することにより光学異性体を分離する方法である。
発明の詳細な説明
本発明の光学異性体用分離剤で用いる多糖誘導体は、多糖が有するヒドロキシル基の水素原子の少なくとも一部が一般式（Ｉ）及び（ＩＩ）で示される原子団の少なくとも一種で置換されたものである。
多糖は、合成多糖、天然多糖及び天然物変成多糖のいずれかを問わず、光学活性であればいかなるものでもよいが、好ましくは結合様式の規則性の高いものが望ましい。
例示すればβ−１，４−グルカン（セルロース）、α−１，４−グルカン（アミロース、アミロペクチン）、α−１，６−グルカン（デキストラン）、β−１，６−グルカン（ブスツラン）、β−１，３−グルカン（例えばカードラン、シゾフィラン等）、α−１，３−グルカン、β−１，２−グルカン（Ｃｒｏｗｎ  Ｇａｌｌ多糖）、β−１，４−ガラクタン、β−１，４−マンナン、α−１，６−マンナン、β−１，２−フラクタン（イヌリン）、β−２，６−フラクタン（レバン）、β−１，４−キシラン、β−１，３−キシラン、β−１，４−キトサン、α−１，４−Ｎ−アセチルキトサン（キチン）、プルラン、アガロース、アルギン酸等であり、アミロースを含有する澱粉も含まれる。
これらの中では、高純度の多糖を容易に入手できるセルロース、アミロース、β−１，４−キシラン、β−１，４−キトサン、キチン、β−１，４−マンナン、イヌリン、カードラン等が好ましく、特にセルロース、アミロースが好ましい。
多糖の数平均重合度（１分子中に含まれるピラノースあるいはフラノース環の平均数）は５以上、好ましくは１０以上であり、特に上限はないが、１０００以下であることが取り扱いの容易さの点で望ましい。
多糖が有するヒドロキシル基の水素原子の少なくとも一部を置換する原子団は、一般式（Ｉ）及び（ＩＩ）で示されるものであり、例えば、下記のものを挙げることができる。
▲１▼  一般式（Ｉ）及び（ＩＩ）中のＲが下記一般式（ＩＩＩ）で示されるもの。
2004094342.tif 000004
（式中、Ｒ１〜Ｒ５は同じであっても異なっていてもよく、水素、ハロゲン、アルキル基、アルコキシ基、アミノ基、ニトロ基、シロキシ基、アルキルチオ基から選ばれる原子又は基である。）
一般式（３）中のＲ１〜Ｒ５は、水素、ハロゲン及びアルキル基から選ばれる原子又は基が好ましい。
▲２▼  一般式（Ｉ）の原子団が下記式（ＩＶ）、（Ｖ）、（ＶＩ）及び（ＶＩＩ）から選ばれるもの。
2004094342.tif 000005
▲３▼  一般式（Ｉ）及び（ＩＩ）中のＲが下記式（ＶＩＩＩ）、（ＩＸ）及び（Ｘ）から選ばれるもの。
2004094342.tif 000006
多糖誘導体は、同じ原子団が多糖に結合した多糖誘導体であっても良いし、異なる種類の原子団が多糖に結合した糖誘導体であっても良く；多糖誘導体における原子団の分布は、均等であっても良いし、偏りがあっても良く；多糖誘導体の単糖ユニットに結合する前記原子団の個数は、全ての単糖ユニットにおいて同じであっても良いし、異なっていても良く；多糖誘導体の単糖ユニットに結合する前記原子団の位置は、単糖ユニットにおける特定の水酸基の位置であっても良いし、特に規則性がなくても良い。
本発明で用いる多糖誘導体は、多糖と、多糖が有するヒドロキシル基と反応しうる官能基を有する化合物（但し、一般式（Ｉ）又は（ＩＩ）の原子団を形成しうる化合物）とを反応させて得ることができる。
このような化合物としては、芳香族又は脂肪族カルボン酸、酸塩化物、酸無水物、酸エステル等のカルボン酸誘導体、芳香族又は脂肪族イソシアン酸誘導体を用いることができる。
本発明の光学異性体用分離剤は、多糖誘導体を担体に担持させたもの、多糖誘導体自体を破砕又は球状粒子化したものにすることができる。ここで言う担持とは、担体上に多糖誘導体が固定化されていることであり、担持方法として、多糖誘導体と担体との間の物理的な吸着、担体との間の化学結合、多糖誘導体同士の化学結合、第三成分の化学結合、多糖誘導体への光照射、ラジカル反応等の方法を適用することができる。
担体としては、多孔質有機担体及び多孔質無機担体が挙げられ、好ましくは多孔質無機担体である。多孔質有機担体として適当なものは、ポリスチレン、ポリアクリルアミド、ポリアクリレート等からなる高分子物質であり、多孔質無機担体として適当なものは、シリカ、アルミナ、マグネシア、ガラス、カオリン、酸化チタン、ケイ酸塩、ヒドロキシアパタイトなどである。
特に好ましい担体はシリカゲルであり、シリカゲルの粒径は０．１μｍ〜１０ｍｍ、好ましくは１μｍ〜３００μｍ、更に好ましくは１μｍ〜１００μｍであり、平均孔径は１０Å〜１００μｍ、好ましくは５０Å〜５０，０００Åである。表面は残存シラノールの影響を排除するために表面処理が施されていることが望ましいが、全く表面処理が施されていなくても問題ない。
担体上への多糖誘導体の担持量は、光学異性体用分離剤１００質量部に対して、１〜１００質量部が好ましく、更に５〜６０質量部が好ましく、特に１０〜４０質量部が望ましい。
また多糖誘導体自体を破砕又は球状粒子化するときは、乳鉢等を用いることで得られた破砕状又は球状の多糖誘導体は、分級して粒度を揃えておくことが望ましい。
本発明の光学異性体用分離剤は、クロマトグラフィーの固定相として用いることができ、ガスクロマトグラフィー、液体クロマトグラフィー、薄層クロマトグラフィー、電気泳動等に適用することができ、特に（連続式）液体クロマトグラフィー法、薄層クロマトグラフィー、電気泳動に好適である。また、クロマトグラフィー用分離剤のみならず、ホストゲスト分離剤、膜分離、液晶材料への応用も可能である。
本発明の光学異性体用分離剤、それを用いたクロマトグラフィーの固定相、連続式液体クロマトグラフィーの固定相は、特に医薬品、食品、農薬、香料の分析において、幅広いキラル化合物を、高い分離係数をもって光学分割する光学異性体分析技術に適している。
本発明の光学異性体用分離剤は、光学分割能が優れている。
【実施例】  本発明を実施例によって詳細に説明するが、本発明はこれら実施例に限定されるものではない。なお以下の例における保持係数（ｋ′）、分離係数（α）は下式で定義される。
保持係数（ｋ′）
ｋ′＝［（対掌体の保持時間）−（デッドタイム）］／デッドタイム）
（デッドタイムは、Ｔｒｉ−ｔｅｒｔ−ｂｕｔｙｌｂｅｚｅｎｅの溶出時間をデッドタイムとした。）
分離係数（α）
α＝（より強く保持される対掌体の保持係数）／（より弱く保持される対掌体の保持係数）
合成例１（ベンゾイルイソシアナート（１）の合成）
ベンズアミドと塩化オキサリルを、ジメチルスルホキシド（ＤＭＳＯ）中、窒素雰囲気下で、６０℃で６時間攪拌させて合成した。得られたベンゾイルイソシアナートを減圧蒸留により生成した（６１℃／４ｍｍＨｇ）。
合成例２（４−メチルベンゾイルイソシアナート（２）の合成）
ｐ−トルアミドと塩化オキサリルを、ジメチルスルホキシド（ＤＭＳＯ）中、窒素雰囲気下で、６０℃で６時間攪拌させて合成した。得られた４−メチルベンゾイルイソシアナートを減圧蒸留により生成した（８６℃／４ｍｍＨｇ）。
合成例３（４−クロロベンゾイルイソシアナート（３）の合成）
４−クロロベンズアミドと塩化オキサリルを、ジメチルスルホキシド（ＤＭＳＯ）中、窒素雰囲気下で、６０℃で６時間攪拌させて合成した。得られた４−クロロベンゾイルイソシアナートを減圧蒸留により生成した（９３℃／６ｍｍＨｇ）。
合成例４（塩化３，５−ジメチルベンゾイル（４）の合成）
氷浴で冷やしながら、窒素雰囲気下で、３，５−ジメチル安息香酸に塩化チオニルを徐々に加えていき、全て添加し終わった後、８０℃に加温して反応させることにより合成した。
合成例５（３，５−ジメチルベンズアミド（５）の合成）
塩化３，５−ジメチルベンゾイルと炭酸アンモニウムを、ジエチルエーテル中、窒素雰囲気下で、室温で４時間攪拌させて合成した。
合成例６（３，５−ジメチルベンゾイルイソシアナート（６）の合成）
塩化３，５−ジメチルベンゾイルと塩化オキサリルを、ジメチルスルホキシド（ＤＭＳＯ）中、窒素雰囲気下で、６０℃で６時間攪拌させて合成した。得られた３，５−ジメチルベンゾイルイソシアナートを減圧蒸留により生成した（１０４℃／８ｍｍＨｇ）。
【実施例１〜７】
▲１▼多糖ベンゾイルカルバメート誘導体（７）〜（１３）の製造
窒素雰囲気下、多糖（セルロース又はアミロース）に、ピリジン又はジメチルスルホキシドを多糖１ｇに対して２０ｍｌ加え、対応するイソシアナート（１）〜（３）、（６）を多糖のヒドロキシル基に対して１．５当量加えて加熱撹拌し、表１に示す多糖ベンゾイルカルバメート誘導体（７）〜（１３）を得た。
2004094342.tif 000007
▲２▼シリカゲルの表面処理
多孔質シリカゲル（粒径７μｍ）を、３−アミノプロピルトリエトキシシランと反応させることにより、アミノプロピルシラン処理（ＡＰＳ処理）を施した。
▲３▼液体クロマトグラフィー用充填剤作製
上記▲２▼で得たシリカゲル０．９ｇに、上記▲１▼で得た多糖ベンゾイルカルバメート誘導体（７）〜（１３）０．２２５ｇを、各々テトラヒドロフラン（ＴＨＦ）、又はジメチルスルホキシド（ＤＭＳＯ）に溶解させ、均一に塗布した後、溶媒を減圧留去することにより、シリカゲルに目的の多糖誘導体が担持した光学異性体用充填剤を得た。
▲４▼液体クロマトグラフィー用カラム作製
上記▲３▼で得た充填剤を、０．２ｃｍφ×２５ｃｍＬのステンレス製カラムにスラリー充填法により加圧、充填を行い光学異性体分離カラムの作製を行った。
応用例１
実施例で作製された光学異性体分離カラムを用い、液体クロマトグラフィー法により、下記に示す１０の化合物の不斉識別能力（保持係数ｋ’値、分離係数α値）の評価を行った。結果を表２に示す。
2004094342.tif 000008
2004094342.tif 000009
（分析条件）
移動相：ヘキサン／２−プロパノール＝９０／１０（ｖ／ｖ）、流速：０．１ｍｌ／ｍｉｎ．、検出：２５４ｎｍ
温度：２５℃